(57)【要約】      （修正有）【課題】薄型ダクトパネルの、表面と床面との角部に塵埃が溜まることを抑制する。【解決手段】本発明の薄型ダクトパネル１００は、室内に垂設され、上下方向の中間に設けられる中空板状の送気部１と、送気部１の下方に連続して設けられる中空板状の吸気部２とを備える。吸気部２は、表側に、面状に並んだ多数の吸気口を有する吸気面を有している。吸気面は、下方へ向かうにつれ薄型ダクトパネル１００の裏板側に近づくよう傾斜している。吸気部２は、表面と床面との間の隅部に、側面視でＲに設けられた凹曲面４１を有することが好ましい。【選択図】図１
2018159521.tif 000002
【特許請求の範囲】
【請求項１】
室内に立設される薄型のダクトパネルであって、
上下方向の中間に設けられる中空板状の送気部と、
前記送気部の下方に連続して設けられる中空板状の吸気部と
を備え、
前記吸気部は、表側に、面状に並んだ多数の吸気口を有する吸気面を有し、
前記吸気面は、下方へ向かうにつれ当該薄型ダクトパネルの裏板側に近づくよう傾斜していることを特徴とする薄型ダクトパネル。
【請求項２】
前記吸気部の表面と床面との間の隅部に、側面視でＲに設けられた凹曲面を有する請求項１に記載の薄型ダクトパネル。
【発明の詳細な説明】
【技術分野】
【０００１】
この発明は、クリーンルームや無菌室、手術室等の微生物や塵埃を除去する空気清浄装置において、室内から吸気を行うべく、壁を覆うように、あるいは壁から離れた位置で間仕切り状に垂設されるダクトパネルに関し、特に、室内スペースを確保するために厚みを抑えた薄型ダクトパネルに関する。
【背景技術】
【０００２】
従来、クリーンルームや無菌室等では、特に、室内の空気を吸い込む吸気口を床面に設けられない場合などに、部屋の側壁に吸気口を設け、該吸気口から吸引した空気を、ダクトを介して二重天井の内側の空間へ流送したのち、天井に設けたファンフィルタユニット等により塵埃等を除去しながら室内へ還流するいわゆる乱流式の空気清浄装置や、吸気口を設けた側壁に対向する側壁に給気口を設けるいわゆる水平層流式の空気清浄装置が用いられている。
【０００３】
かかる乱流式や、水平層流式の空気清浄装置は、側壁を二重構造とする代わりに、中空板状のダクトパネルを立設することにより、空気清浄装置を備えない部屋に追設することが可能である（例えば、特許文献１参照）。
【先行技術文献】
【特許文献】
【０００４】
【特許文献１】特許５８０２８５５号公報
【発明の概要】
【発明が解決しようとする課題】
【０００５】
しかし、かかるダクトパネルは、追設が容易である一方で、部屋が狭くなるという問題が有り、また、あまりに薄くすると圧損が大きくなって流量が落ち、乱流も発生しやすくなるため、吸気口の下方の、ダクトパネルと床面との角部に塵埃が溜まり、ひいてはこれが細菌の繁殖原因となる虞がある。
本発明は、上記課題に鑑みてなされたものであり、ダクトパネル表面と床面との角部に塵埃が溜まることを抑制可能な薄型ダクトパネルの提供を目的とする。
【課題を解決するための手段】
【０００６】
上記の課題を解決するためになされた発明は、室内に立設される薄型のダクトパネルであって、上下方向の中間に設けられる中空板状の送気部と、前記送気部の下方に連続して設けられる中空板状の吸気部とを備え、前記吸気部の表面は、面状に並んだ多数の吸気口を有する吸気面を有し、前記吸気面は、下方へ向かうにつれ当該薄型ダクトパネルの裏板側に近づくよう傾斜していることを特徴とする。
【０００７】
このように、本発明に係る薄型ダクトパネルは、吸気口が設けられた吸気面が、下方へ向かうにつれ当該薄型ダクトパネルの裏板側に近づくよう傾斜していることで、送気部の表面に衝突して落下する塵埃や、吸気面の吸気口周縁の部分に衝突して落下する塵埃が、吸気面の下縁の手前側に落下するため、当該薄型ダクトパネルと床面の隅部に塵埃が捕捉されることを抑制できる。
また、吸気面が床面を向くため、当該隅部よりやや手前側に離間して床面に落下した塵埃を、吸気口から吸引することができる。
また、吸気面が床面を向くため、塵埃の多く含まれる室内下部の空気を床面に沿って吸気口へ導くことができ、より効率的に室内の塵埃を除去することができる。
また、吸気面を傾けたことで、吸気面近傍に発生する乱流を抑制できるため、これによっても、吸気面近傍に塵埃が蓄積するのを抑制できる。
【０００８】
前記吸気部の表面と床面との間の隅部に、側面視でＲに設けられた凹曲面を有することが好ましい。こうすることで、床面近傍の空気を当該凹曲面に沿って吸気口へ取り込むことができ、ダクトパネルの前方に落下した塵埃を効率よく回収することができる。
【発明の効果】
【０００９】
以上説明したように、本発明の薄型ダクトパネルによれば、その表面と床面との角部に塵埃が溜まることを抑制することができる。
【図面の簡単な説明】
【００１０】
【図１】本発明の第１実施形態に係る薄型ダクトパネルを示した斜視図である。
【図２】図１に示した薄型ダクトパネルの正面図である。
【図３】図１に示した薄型ダクトパネルの背面図である。
【図４】図１に示した薄型ダクトパネルの側面図である。
【図５】図１に示した薄型ダクトパネルの平面図である。
【図６】図１に示した薄型ダクトパネルの底面図である。
【図７】図２におけるＩ−Ｉ線断面図である。
【図８】図１に示した吸気部を示す（ａ）要部正面図、（ｂ）要部縦断面図である。
【図９】図１の薄型ダクトパネルの前面に塵埃が落下する様子を模式的に示した説明図である。
【図１０】本発明の第２実施形態に係る薄型ダクトパネルを示した正面図である。
【図１１】図１０に示した薄型ダクトパネルの側面図である。
【発明を実施するための形態】
【００１１】
以下、適宜図面を用いながら本発明の実施形態について詳述する。尚、本発明は、以下の実施形態に限られるものではない。
【００１２】
（第１実施形態）
図１は、本発明の第１実施形態に係る薄型ダクトパネル１００を示している。薄型ダクトパネル１００は、クリーンルームや無菌室等における空気中の塵埃や細菌等を除去する空気清浄装置において、室内から空気を吸引したのち、天井裏のファンフィルタユニット（不図示）から延出するダクトＢ（図４参照）に空気を還流するために用いられる。
薄型ダクトパネル１００は、送気部１と、吸気部２と、ファン部３とを主に備える他、吸気部２と床面との間に設けられるＲ架台４とを備え、塗装鋼板を板金加工した部材を適宜に組み合わせて形成されている。薄型ダクトパネル１００は、裏板側を設置対象となる部屋の側壁に貼設するようにして立設される。
【００１３】
送気部１は、上下に開口した偏平直方体状の中空箱型をなし、裏面側をなすとともに、水平断面が略コ字状の送気部本体１１と、送気部本体１１の前方開口を閉塞する送気部表板１２とを有している。送気部本体１１は、裏板１３（図３参照）と左右一対の側板１４（図４参照）とを有し、裏板１３には、厚み方向に貫通する６つの壁面固定孔１３ａが設けられている。側板１４は、端部が内側へ折り返されて縁部１４ａ（図１、図２参照）が形成されている。送気部表板１２は、側板１４に不図示の嵌合構造により、脱着自在に固定されている。送気部表板１２の表面１２ａと縁部１４ａの表面で、送気部１の表面が構成される。
【００１４】
吸気部２は、図４に示すように、その裏側（図４右側）をなす水平断面が略コ字状の吸気部本体２１と、吸気部本体２１の表側の開口を塞ぐ吸込みパネル２２と、内部に設けられるプレフィルタ２６とを備える。プレフィルタ２６は、正面視ロの字形状の中枠２７に支持されている。プレフィルタ２６は、中枠２７と共に、吸気部２の内部空間における空気流の上流側と下流側を仕切っている。吸気部本体２１は、裏板２３と左右一対の側板２４と、底板２５（図７参照）とを有し、側板２４、底板２５は、端部が内側に折り返されて縁部２４ａ、２５ａが形成されている。吸気部本体２１の裏板２３には、厚み方向に貫通する４つの壁面固定孔１３ａ（図３参照）が設けられている。
【００１５】
吸込みパネル２２は、図８（ａ）に示すように、送気部表板１２に面一に設けられる固定部２２ａと、固定部２２ａに連続して下方（図８（ａ）の下方）に、吸気面２９を有している。吸気面２９は、図８（ｂ）に示すように、下方（図８（ｂ）の下方）に向かうにつれ、薄型ダクトパネル１００の裏板２３に近づくよう傾斜する吸気面２９とを有している。吸気面２９には、図８（ａ）に示すように、周囲の一部を残した略全面に亘り、水平方向に長い長穴からなる多数の吸気口２９ａが、千鳥に配設されている。吸込みパネル２２は、下辺２２ｄの両側において吸気部本体２１の縁部２５ａに軸支され、図８（ｂ）に２点鎖線で示すように、上辺２２ｃを手前側（図８（ｂ）左側）に倒すようにして開閉される。吸込みパネル２２は、固定部２２ａの左右一対のラッチ金具５ａ，５ａを、中枠２７の上辺２７ａに設けられた左右一対のラッチ受け金具５ｂ，５ｂに係合して、閉状態に固定される。
吸込みパネル２２の表面と、縁部２４ａ、２５ａにより、吸気部２の表面２ａが構成される。
【００１６】
また、吸込みパネル２２は、ダボピン９により、底板２５の縁部２５ａに連結されて、底板２５に軸支されており、ダボピン９を外すことで、図８（ｂ）に示すように、吸気部本体２１から、抜き取るようにして、取り外すことができる。
【００１７】
プレフィルタ２６は、図８（ｂ）に示すように、中枠２７の上辺２７ａに設けられた嵌合用溝２７ｃと、その下辺２７ｂに設けられた嵌合用溝２７ｄにけんどん式に着脱自在に取り付けられている。プレフィルタ２６は、その後部空間２８が、下側ほど前後幅が狭くなるよう傾斜した状態で中枠２７に取り付けられる。
【００１８】
Ｒ架台４は、図４に示すように、吸気部２と床面Ａとの間に設けられて、薄型ダクトパネル１００を支持する。Ｒ架台４は、表側（図４の左側）に、側面視でＲに設けられた凹曲面４１を備えている。凹曲面４１は、側面視で、下縁における接線方向が床面Ａに近づくよう、かつ上縁における接線方向が、吸気面２９に近づくよう設けられている。
【００１９】
ファン部３は、図４に示すように、表面３１を前方（図４の左方）へ突出させるようにして、吸気部２よりも厚くすることで、内部に左右（図２の左右）一対のファン（不図示）を設けている。ファン部３は、ダクト接続口３１ａ，３１ａを介してダクトＢに連結される。ファンはシロッコファンからなり、送気部１の内部空間の空気を吸引して、表面３１に設けられたダクト接続口３１ａ，３１ａから不図示のファンフィルタユニットへ連結されるダクトＢへ流送する。
【００２０】
次に、薄型ダクトパネル１００の使用方法、及び各構成による作用・効果について説明する。
薄型ダクトパネル１００をクリーンルームや無菌室等の被取付け室の壁に取り付ける際には、送気部表板１２、及び吸込みパネル２２を取り外した状態で室内へ搬入し、壁面固定孔１３ａを介し、アンカーボルト（不図示）により壁面に取り付ける。この際、ファン部３は、天井裏空間Ｃに配設される。その後、送気部表板１２、及び吸込みパネル２２を取り付け、ダクト接続口３１ａをダクトＢへ連結する。
【００２１】
薄型ダクトパネル１００、及び不図示のファンフィルタユニットを含む空気清浄装置が稼働すると、これらが内蔵するファンが回転し、送気部１の内部の空気を上方へ吸引する。これに伴い、吸気部２の後部空間２８内部の空気が送気部１へ吸引され、さらに、プレフィルタ２６、及び吸気口２９ａを介して、室内の空気が後部空間２８へ吸引される。
【００２２】
従来の薄型ダクトパネル９０では、図９（ａ）に示すように、吸気面９１や吸気口９１ａの周縁部分に衝突して落下する塵埃Ｐは、殆どが薄型ダクトパネル９０と床面Ａとの間の角部に落下して堆積するため、室内の清浄度の低下や細菌等の繁殖が懸念されていた。
これに対し、本実施形態の薄型ダクトパネル１００では、図９（ｂ）に示すように、吸気面２９が下辺２２ｄが裏側（図９（ｂ）右側）に入り込むよう傾斜していることで、送気部表板１２の表面１２ａに衝突して落下する塵埃Ｐや、吸気面２９の吸気口２９ａの周縁部分に衝突して落下する塵埃Ｐが、凹曲面４１状に落ちるため、薄型ダクトパネル１００と床面Ａの間の隅部に塵埃Ｐが捕捉されることを抑制できる。
【００２３】
そして、薄型ダクトパネル１００では、図９（ｂ）に示すように、吸気口２９ａから吸い込まれる空気は、床面Ａ側から吸引される。これにより、天井のファンフィルタユニットからダウンフローで給気された空気は、図９（ａ）に示した、従来タイプの吸気面９１に傾斜が無い薄型ダクトパネル９０に比べて、床面側を迂回するようにして、吸気口２９ａに吸引されるため、室内に、垂直層流に近い空気の流れを形成できる。従って、天井から送気部に衝突する空気の流れが減少するため、送気部に沿って落下する塵埃を減少させることができる。また、吸気部２の後部空間２８（図８（ｂ）参照）は、下側ほど前後方向の幅が小さくなるため、空気の流れが速くなり、これにより、吸気口２９ａの前方に落下する塵埃や床面Ａから舞い上がる塵埃をより効果的に吸引することができる。さらに、吸気面２９がこのように傾斜していることにより、吸気面が傾斜していない従来のダクトパネルに比べて、吸気面２９近傍に発生する乱流が抑えられるため、吸気面２９近傍の床面に塵埃が溜まることを抑制できる。
加えて、吸気面２９をこのように、裏側へ入り込むように傾斜させることで、薄型ダクトパネル１００の下部がより薄くなり、床面Ａのスペースを確保して、人の足が衝突することを抑制できる。また、送気部１の厚みを不必要に薄くする必要がなくなり、十分な流路を確保できる。
【００２４】
また、床面Ａと薄型ダクトパネル１００の間の隅部に、凹曲面４１を設けたことで、吸気面２９と凹曲面４１とで鶴翼状の連続面が形成されるため、床面Ａ近傍の空気を凹曲面４１で広く吸気口２９ａに取り込むことができ、効果的に薄型ダクトパネル１００前方に塵埃が溜まることを抑制できる。
【００２５】
（第２実施形態）
図１０、及び図１１は、本発明の第２実施形態に係る薄型ダクトパネル２００を示している。第１実施形態では、ファン部３が天井裏の空間に配設されるのに対し、第２実施形態の薄型ダクトパネル２００は、ファン部２０３が室内に配設されて清浄化した空気を直接室内に給気するよう構成され、スペースが狭く二重天井を形成できない部屋に用いられる。
尚、薄型ダクトパネル２００において、薄型ダクトパネル１００と共通する部材は、同一符号を付して説明を省略する。
【００２６】
ファン部２０３は、前方（図１１の左方）へ突出するように設けられた表面２３１に吹き出しルーバー２３１ａを備え、内部にファン２３２とＨＥＰＡフィルター２３３とを備えている。ファン部２０３は、天壁２３４が部屋の天井に当接するよう設置される。
薄型ダクトパネル２００は、ファン２３２で吸引した空気をＨＥＰＡフィルター２３３で除塵したのち、吹き出しルーバー２３１ａを介して、室内に直接給気を行うことができる。
【００２７】
以上、本発明の薄型ダクトパネルは、上記の実施形態に限らず、例えば、ファン部やＲ架台は備えなくともよい。吸気口は長穴状でなく円形その他の形状にしてよい。また、本発明の薄型ダクトパネルは、壁面に設置するものではなく、部屋の壁から離れた中間位置に間仕切り的に設けることもできる。
【符号の説明】
【００２８】
１００，２００  薄型ダクトパネル
１  送気部
２  吸気部
２ａ  吸気部の表面
２３  裏板
２９  吸気面
４１  凹曲面
【図１】
2018159521.tif 000003
【図２】
2018159521.tif 000004
【図３】
2018159521.tif 000005
【図４】
2018159521.tif 000006
【図５】
2018159521.tif 000007
【図６】
2018159521.tif 000008
【図７】
2018159521.tif 000009
【図８】
2018159521.tif 000010
【図９】
2018159521.tif 000011
【図１０】
2018159521.tif 000012
【図１１】
2018159521.tif 000013
【手続補正書】
【提出日】平成29年10月4日(2017.10.4)
【手続補正１】
【補正対象書類名】特許請求の範囲
【補正対象項目名】全文
【補正方法】変更
【補正の内容】
【特許請求の範囲】
【請求項１】
クリーンルーム、無菌室又は手術室の室内に立設される薄型のダクトパネルであって、
上下方向の中間に設けられる中空板状の送気部と、
前記送気部の下方に連続して設けられる中空板状の吸気部と
を備え、
前記吸気部は、表側に、面状に並んだ多数の吸気口を有する吸気面を有し、
前記吸気面は、下方へ向かうにつれ当該薄型ダクトパネルの裏板側に近づくよう傾斜しており、
前記吸気面の外側かつ下方において、前記吸気部の表面と床面との間の隅部に、側面視でＲに設けられた凹曲面を有することを特徴とする薄型ダクトパネル。
【手続補正２】
【補正対象書類名】明細書
【補正対象項目名】０００６
【補正方法】変更
【補正の内容】
【０００６】
上記の課題を解決するためになされた発明は、クリーンルーム、無菌室又は手術室の室内に立設される薄型のダクトパネルであって、上下方向の中間に設けられる中空板状の送気部と、前記送気部の下方に連続して設けられる中空板状の吸気部とを備え、前記吸気部の表面は、面状に並んだ多数の吸気口を有する吸気面を有し、前記吸気面は、下方へ向かうにつれ当該薄型ダクトパネルの裏板側に近づくよう傾斜している。
【手続補正３】
【補正対象書類名】明細書
【補正対象項目名】０００８
【補正方法】変更
【補正の内容】
【０００８】
そして、本発明の薄型ダクトパネルは、前記吸気面の外側、かつ下方において、前記吸気部の表面と床面との間の隅部に、側面視でＲに設けられた凹曲面を有することを特徴とする。こうすることで、床面近傍の空気を当該凹曲面に沿って吸気口へ取り込むことができ、ダクトパネルの前方に落下した塵埃を効率よく回収することができる。